(57)【要約】【課題】ヒートポンプ式給湯システムに適用される室外機であって、従来の室外機に比して製造コストや管理コストを削減可能な室外機、及び給湯システムを提供する。【解決手段】室外機２は、筐体２２内部に配置された圧縮機１３と、ファンモータ２１に連結される送風ファン２０と、ファンモータ２１を取り付けるファンモータ取付台３０と、筐体２２内部において圧縮機１３と送風ファン２０との間に配置された仕切り板２５とを備え、ファンモータ取付台３０は、略Ｌ字形状に形成され、その一端３０ａは筐体の上端部に支持されると共に、その他端３０ｃは仕切り板に支持される。【選択図】図３
2010014368.tif 000002
【特許請求の範囲】
【請求項１】
筐体内部に配置された圧縮機と、ファンモータに連結される送風ファンと、前記ファンモータを取り付けるファンモータ取付台と、前記筐体内部において前記圧縮機と前記送風ファンとの間に配置された仕切り板とを備える室外機であって、
前記ファンモータ取付台は、略Ｌ字形状に形成され、その一端は前記筐体の上端部に支持されると共に、その他端は前記仕切り板に支持されることを特徴とする室外機。
【請求項２】
筐体内部において前記送風ファンと対向配置された熱交換器を備え、
前記ファンモータ取付台の前記一端は、前記熱交換器の上端部に支持されることを特徴とする室外機。
【請求項３】
冷媒がＣＯ２冷媒であることを特徴とする請求項１または２に記載の室外機。
【請求項４】
請求項１〜３のいずれか一項に記載の室外機を備えたことを特徴とする給湯システム。
【発明の詳細な説明】
【技術分野】
【０００１】
本発明は、例えば、貯湯タンクを備えたヒートポンプ式給湯システムに適用される室外機、及び給湯システムに関する。
【背景技術】
【０００２】
従来の室外機は、その筐体内部に、ファンモータに連結される送風ファンや、送風ファンを介して屋外の空気と冷媒との間で熱を交換する空気熱交換器や、空気熱交換器に冷媒を送出する圧縮機や、ファンモータを取り付けるためのファンモータ取付台を有している。このようなファンモータ取付台の一端及び他端は、例えば、筐体の上部及び底部にそれぞれ固定されている。
【０００３】
一方、ヒートポンプ式給湯システムに適用される室外機では、その筐体内部に、貯湯タンクから供給された貯溜水と冷媒との間で熱を交換する水熱交換器が設けられている（特許文献１参照）。このような室外機では、水熱交換器の存在によって、ファンモータ取付台の他端を筐体底部に固定できない場合がある。この場合、ファンモータ取付台の他端は、筐体の底部から水熱交換器の上部に取り出したステー等の部品に固定されている。
【特許文献１】特開２００５−１４７４６７号公報
【発明の開示】
【発明が解決しようとする課題】
【０００４】
しかしながら、このような従来の室外機では、ファンモータ取付台の固定にステー等の部品が別途必要となる。このため、室外機の部品点数や組立工数が増加し、室外機の製造コストが増加するという問題があった。また、水熱交換器を保守する際に、ステー等を取り外すような場合、室外機の管理工数が増加し、室外機の管理コストが増加するという問題があった。また、水熱交換器がない空気調和機に室外機を適用するような場合であっても、ステー等の存在によって室外機下部の空間を有効に活用できないという問題があった。
【０００５】
本発明の目的は、室外機であって、従来の室外機に比して製造コストや管理コストを削減可能な室外機、及び給湯システムを提供することである。
【課題を解決するための手段】
【０００６】
第１の発明に係る室外機は、筐体内部に配置された圧縮機と、ファンモータに連結される送風ファンと、ファンモータを取り付けるファンモータ取付台と、筐体内部において圧縮機と送風ファンとの間に配置された仕切り板とを備える室外機であって、ファンモータ取付台は、略Ｌ字形状に形成され、その一端は筐体の上端部に支持されると共に、その他端は仕切り板に支持される。ここで、本発明におけるＬ字とは、直角に屈曲したもののみを定義するものではない。つまり、ファンモータ取付台の他端が仕切り板の一部に固定されるような屈曲形状であればよい。
【０００７】
この室外機では、ファンモータ取付台を筐体の上端部及び仕切り板にそれぞれ支持及び取付可能である。よって、水熱交換器を筐体内部に設置するような場合であっても、ファンモータ取付台をステー等の部品に固定する必要がない。その結果、従来の室外機のように、ステー等の部品を別途設ける必要がない。このため、従来の室外機に比して室外機の製造コストや管理コストを削減できる。また、ステー等の部品が不要となるため、室外機下部の空間を有効に活用できる。
【０００８】
第２の発明に係る室外機では、第１の発明に係る室外機において、筐体内部において送風ファンと対向配置された熱交換器を備え、ファンモータ取付台の一端は、熱交換器の上端部に支持される。
【０００９】
この室外機では、筐体内部に熱交換器を備える場合に、ファンモータ取付台の一端を熱交換器の上端部に支持することで、ファンモータ取付台を室外機の筐体内部に容易に取り付けることができる。
【００１０】
第３の発明に係る室外機では、第１または第２の発明に係る室外機において、冷媒がＣＯ２冷媒である。
【００１１】
この室外機では、冷媒としてＣＯ２冷媒を用いた場合であっても、ファンモータ取付台を筐体の上端部及び仕切り板にそれぞれ支持及び取付可能である。
【００１２】
第４の発明に係る給湯システムでは、第１〜第３の発明のいずれかに係る室外機を備えている。
【００１３】
この給湯システムでは、ファンモータ取付台を筐体の上端部及び仕切り板にそれぞれ支持及び取付可能である。よって、水熱交換器を筐体内部に設置するような場合であっても、ファンモータ取付台をステー等の部品に固定する必要がない。
【発明の効果】
【００１４】
以上の説明に述べたように、本発明によれば、以下の効果が得られる。
【００１５】
第１の発明では、ファンモータ取付台を筐体の上端部及び仕切り板にそれぞれ支持及び取付可能である。よって、水熱交換器を筐体内部に設置するような場合であっても、ファンモータ取付台をステー等の部品に固定する必要がない。その結果、従来の室外機のように、ステー等の部品を別途設ける必要がない。このため、従来の室外機に比して室外機の製造コストや管理コストを削減できる。また、ステー等の部品が不要となるため、室外機下部の空間を有効に活用できる。
【００１６】
また、第２の発明では、筐体内部に熱交換器を備える場合に、ファンモータ取付台の一端を熱交換器の上端部に支持することで、ファンモータ取付台を室外機の筐体内部に容易に取り付けることができる。
【００１７】
また、第３の発明では、冷媒としてＣＯ２冷媒を用いた場合であっても、ファンモータ取付台を筐体の上端部及び仕切り板にそれぞれ支持及び取付可能である。
【００１８】
また、第４の発明では、ファンモータ取付台を筐体の上端部及び仕切り板にそれぞれ支持及び取付可能である。よって、水熱交換器を筐体内部に設置するような場合であっても、ファンモータ取付台をステー等の部品に固定する必要がない。
【発明を実施するための最良の形態】
【００１９】
以下、図面に基づいて、本発明に係る室外機及び給湯システムの一実施形態について説明する。
【００２０】
図１は、本発明の一実施形態に係る室外機を適用したヒートポンプ式給湯システムの構成を示す模式図である。まず、図１を参照して、本実施形態に係るヒートポンプ式給湯システム１００について詳細に説明する。
【００２１】
ヒートポンプ式給湯システム１００（給湯システム）は、貯湯タンク１と、この貯湯タンク１に付設され、貯湯タンク１の底部側の水を加熱して貯湯タンク１の頂部側へと返流する室外機２とを備えている。本実施形態では、貯湯タンク１に貯湯された温湯が、給湯端末Ｔに供給されるようになっている。
【００２２】
貯湯タンク１の底部には、給水口３及び出水口４が設けられている。この給水口３には、給水源Ｓに接続される給水流路５から分岐した入水流路５ａが接続されている。これにより、給水源Ｓから供給される市水が、入水流路５ａを介して貯湯タンク１の底部に導入される。また、出水口４には、循環路６の一方端が接続されている。そして、この循環路６には、循環ポンプ７及び水熱交換器８が介設されている。
【００２３】
また、貯湯タンク１の頂部には、給湯口９及び高温出湯口１０が設けられている。給湯口９には、循環路６の他方端が接続されている。また、高温出湯口１０には、出湯経路１２を介して混合弁１１が接続されている。この混合弁１１には、給水流路５から分岐した入水流路５ｂと給湯端末Ｔが接続されている。これにより、高温出湯口１０から出湯された温湯を給水源Ｓから供給される水と混合することが可能となり、給湯端末Ｔにおいて、所望の温度に調節された温湯を供給することが可能となる。
【００２４】
室外機２は、水熱交換器８と、圧縮機１３と、電動膨張弁（減圧機構）１４と、空気熱交換器（蒸発器）１５とを順に接続して構成され、冷媒としてＣＯ２冷媒を用いた冷媒回路を有している。すなわち、圧縮機１３の吐出管１６を水熱交換器８に接続し、水熱交換器８と電動膨張弁１４とを冷媒通路１７で接続し、電動膨張弁１４と空気熱交換器１５（熱交換器）とを冷媒通路１８で接続し、空気熱交換器１５と圧縮機１３とを冷媒通路１９で接続している。これにより、圧縮機１３が駆動すると、水熱交換器８が循環路６を流れる水を加熱する。また、空気熱交換器１５には、空気熱交換器１５の能力を調整する送風ファン２０や、この送風ファン２０を駆動するファンモータ２１が付設されている。
【００２５】
上記のように構成されたヒートポンプ式給湯システム１００によれば、圧縮機１３を駆動させると共に、循環ポンプ７を駆動させると、貯湯タンク１の底部に設けられた出水口４から貯溜水が流出し、この貯溜水が循環路６を流通する。このとき、循環路６を流通する水は、水熱交換器８によって加熱され（沸き上げられ）、給湯口９から貯湯タンク１の頂部に返流される。このような動作を継続して行うことによって、貯湯タンク１に高温の温湯を貯湯することができる。
【００２６】
図２は、本発明の室外機２の斜視図である。略直方体状に形成された室外機２の筐体２２内部は、天井パネル２３、前面パネル２４や側面パネル３５で覆われている。
【００２７】
図３は、図２に示した室外機２から天井パネル２３及び前面パネル２４を取り外した状態を示している。筐体２２内部は、上下方向に沿って配置された仕切り板２５によって、左右に圧縮機室２６と熱交換器室２７に区画されている。圧縮機室２６には、カバー部材２８で覆われた圧縮機１３（図示せず）が設けられている。
【００２８】
一方、熱交換器室２７には、カバー部材２９で覆われた水熱交換器８（図示せず）や、略Ｌ字状に折り曲げて形成された空気熱交換器１５や、ファンモータ２１を取り付けるためのファンモータ取付台３０が設けられている。
【００２９】
ファンモータ取付台３０は、Ｌ字状に形成されている。ファンモータ取付台３０の一端３０ａには、空気熱交換器１５の上端部に支持される支持部３０ｂが形成されている。ファンモータ取付台３０の他端３０ｃには、仕切り板２５に対して取り付けるための第１取り付け部３０ｄが形成されている。
【００３０】
また、ファンモータ取付台３０は、その一端３０ａから前面パネル２４（図２）に向けて突出する突出部３０ｅを有している。この突出部３０ｅの先端には、前面パネル２４に対して取り付けるための第２取り付け部３０ｆが形成されている。
【００３１】
このように、ファンモータ取付台３０は、前面パネル２４や、仕切り板２５及び空気熱交換器１５に支持または取り付け可能である。したがって、ファンモータ取付台３０をステー等の部品を用いて筐体２２に固定する必要がない。具体的には、従来の室外機３１（図６）のように、ステー３４（図７）を別途設ける必要がない。
【００３２】
このため、室外機３１に比して室外機２の部品点数や組立工数を削減でき、室外機２の製造コストを削減できる。また、水熱交換器１４（図５）を保守する際に、ステー３４を取り外す必要がないため、室外機３１に比して室外機２の管理工数を削減でき、室外機２の管理コストを削減できる。
【００３３】
図４及び図５は、図３に示したファンモータ２１に送風ファン２０を取り付けた状態を示している。図に示すように、水熱交換器１４は、ファンモータ取付台３０の下方に設けられている。
【００３４】
図６及び図７は、比較例として従来の室外機３１を示している。この例では、ファンモータ取付台３２は、筐体底部から水熱交換器３３の上部に取り出したステー３４に固定されている。このようなステー３４の追加によって、室外機３１の部品点数や組立工数が増加する。このため、室外機３１の製造コストが増加するという問題があった。
【００３５】
また、この例では、水熱交換器３３を保守する際に、ファンモータ取付台３２とステー３４を取り外す必要がある。このため、室外機３１の管理工数が増加し、室外機３１の管理コストが増加するという問題があった。
【００３６】
また、ステー３４の形状によって、水熱交換器３３の形状が制約される場合がある。このような場合、水熱交換器３３の自由な設計が困難になる。具体的には、水熱交換器３３を送風ファンの風の流れに適した形状に設計できないという問題があった。また、ステー３４の剛性確保がスペース上の制約によって困難となるような場合、振動面や落下耐力等がネックになるという問題があった。
【００３７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【００３８】
なお、上記した実施形態では、ファンモータ取付台３０をＬ字状に形成し、ファンモータ取付台３０が９０度に屈曲している場合について述べた。本発明はかかる実施形態に限定されるものではない。例えば、ファンモータ取付台３０の一端が、仕切り板２５の上端から下端までの範囲内に固定されるような屈曲形状をＬ字と定義し、ファンモータ取付台３０が、０度より大きく、１８０度より小さい角度で屈曲している場合を含む。
【００３９】
なお、上記した実施形態では、室外機２がＣＯ２冷媒を用いた冷媒回路を有している例について述べた。本発明はかかる実施形態に限定されるものではない。例えば、ＣＯ２冷媒以外の冷媒を用いた冷媒回路を有するものでもよい。
【産業上の利用可能性】
【００４０】
本発明を利用すれば、ヒートポンプ式給湯システムに適用される室外機であって、従来の室外機に比して製造コストや管理コストを削減可能な室外機、及び給湯システムを得ることができる。
【図面の簡単な説明】
【００４１】
【図１】本発明の一実施形態に係る室外機を適用したヒートポンプ式給湯システムの構成を示す模式図である。
【図２】本発明の室外機の斜視図である。
【図３】図２に示した室外機から天井パネル及び前面パネルを取り外した状態を示す説明図である。
【図４】図３に示したファンモータに送風ファンを取り付けた状態を示す説明図である。
【図５】図４に示したＡ−Ａ線の断面図である。
【図６】比較例として従来の室外機を示す説明図である。
【図７】図６に示したＡ−Ａ線の断面図である。
【符号の説明】
【００４２】
１  貯湯タンク
２  室外機
８  水熱交換器
１５  空気熱交換器（熱交換器）
２０  送風ファン
２１  ファンモータ
２２  筐体
２３  天井パネル
２４  前面パネル
２５  仕切り板
２６  圧縮機室
２７  熱交換器室
２８、２９  カバー部材
３０  ファンモータ取付台
３０ａ  一端
３０ｂ  支持部
３０ｃ  他端
３０ｄ  第１取り付け部
３０ｅ  突出部
３０ｆ  第２取り付け部
１００  ヒートポンプ式給湯システム（給湯システム）
【図１】
2010014368.tif 000003
【図２】
2010014368.tif 000004
【図３】
2010014368.tif 000005
【図４】
2010014368.tif 000006
【図５】
2010014368.tif 000007
【図６】
2010014368.tif 000008
【図７】
2010014368.tif 000009